(57)【要約】  本開示の実施形態によれば、音響装置における音響情報を処理するための方法は、通信用音響出力信号を生成することによって、前記音響装置の少なくとも１つの変換器に音響情報を複製する工程と、前記音響装置外部の周辺音響を示す少なくとも１つの入力信号を受信する工程と、前記少なくとも１つの入力信号から、前記周辺音響における近傍界音響を検出する工程と、前記近傍界音響の検出に応じて、前記少なくとも１つの変換器に複製された前記音響情報の特徴を修正する工程とを含んでもよい。
2018527857.tif 000002
【特許請求の範囲】
【請求項１】
音響装置における音響情報を処理するための方法であって、
通信用音響出力信号を生成することによって、前記音響装置の少なくとも１つの変換器に音響情報を複製する工程と、
前記音響装置外部の周辺音響を示す少なくとも１つの入力信号を受信する工程と、
前記少なくとも１つの入力信号から、前記周辺音響における近傍界音響を検出する工程と、
前記近傍界音響の検出に応じて、前記少なくとも１つの変換器に複製された前記音響情報の特徴を修正する工程と
を含む方法。
【請求項２】
前記少なくとも１つの入力信号から、前記周辺音響の方向を決定する工程と、
前記周辺音響の方向が、前記周辺音響が前記音響装置のユーザからの音響であることを示すことに応じて、前記少なくとも１つの変換器に複製された前記音響情報の特徴を修正する工程と
を更に含む、請求項１に記載の方法。
【請求項３】
前記少なくとも１つの入力信号から、前記周辺音響の方向を決定する工程と、
前記周辺音響の方向が、前記周辺音響が前記音響装置のユーザからの発話であることを示すことに応じて、前記少なくとも１つの変換器に複製された前記音響情報の特徴を修正する工程と
を更に含む、請求項１に記載の方法。
【請求項４】
前記音響情報の特徴を修正する工程が、前記音響情報を減衰させる工程を含む、請求項１に記載に記載の方法。
【請求項５】
前記近傍界音響の検出が少なくとも所定時間継続することに応じて、前記音響情報の特徴を修正する工程を更に含む、請求項１に記載の方法。
【請求項６】
前記少なくとも１つの入力信号から、前記周辺音響において前記近傍界音響が存在しないことを検出する工程と、
少なくとも第２の所定時間の間前記近傍界音響が存在しないことに応じて、前記少なくとも１つの変換器に複製された前記音響情報の特徴を修正することを停止する工程と、
を更に含む、請求項５に記載の方法。
【請求項７】
前記近傍界音響を検出する工程に加えて、前記少なくとも１つの入力信号から、前記周辺音響における前記近傍界音響以外の周辺音響を検出する工程と、
前記周辺音響の検出に応じて、前記少なくとも１つの変換器に複製された前記音響情報の特徴を修正する工程と
を更に含む、請求項１に記載の方法。
【請求項８】
前記少なくとも１つの入力信号から、前記周辺音響の方向を決定する工程と、
前記周辺音響の方向が、前記周辺音響が前記近傍界音響以外の音響であることを示すことに応じて、前記少なくとも１つの変換器に複製された前記音響情報の特徴を修正する工程と
を更に含む、請求項７に記載の方法。
【請求項９】
前記少なくとも１つの入力信号から、前記周辺音響が背景雑音を含むか否かを検出する工程と、
前記周辺音響における前記背景雑音の検出に応じて、前記少なくとも１つの変換器に複製された前記音響情報の特徴を修正する工程と
を更に含む、請求項７に記載の方法。
【請求項１０】
前記少なくとも１つの入力信号から、前記周辺音響が音調警報を含むか否かを検出する工程と、
前記周辺音響における前記音調警報の検出に応じて、前記少なくとも１つの変換器に複製された前記音響情報の特徴を修正する工程と
を更に含む、請求項７に記載の方法。
【請求項１１】
前記周辺音響における前記音調警報を検出する工程が、
前記少なくとも１つの入力信号から、前記周辺音響の方向を検出する工程と、
前記少なくとも１つの入力信号から、前記周辺音響のスペクトル平坦性測定を検出する工程と、
前記少なくとも１つの入力信号から、前記周辺音響の近傍界空間統計量を検出する工程と、
前記周辺音響の方向、前記背景雑音の有無、及び前記近傍界空間統計量に基づいて、前記音調警報を検出する工程と
を含む、請求項１０に記載の方法。
【請求項１２】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項１１に記載の方法。
【請求項１３】
前記周辺音響の方向を検出する工程が、前記周辺音響の方向が近傍界音響の受入角以内であるか否かを決定する工程を含む、請求項１１に記載の方法。
【請求項１４】
前記周辺音響の前記近傍界空間統計量を検出する工程が、正規化相互相関統計量が閾値よりも大きいか否かを検出する工程を含む、請求項１１に記載の方法。
【請求項１５】
前記周辺音響の前記スペクトル平坦性測定を検出する工程が、前記雑音スペクトルが前記周辺音響の全てのサブバンドではないが、前記周辺音響の殆どのサブバンドにおいて平坦であるか否かを検出する工程を含む、請求項１１に記載の方法。
【請求項１６】
前記周辺音響における前記近傍界音響を検出する工程が、
前記少なくとも１つの入力信号から、前記周辺音響の方向を検出する工程と、
前記少なくとも１つの入力信号から、前記周辺音響における発話の存在を検出する工程と、
前記少なくとも１つの入力信号から、前記周辺音響の近傍界空間統計量を検出する工程と、
前記方向、発話の有無、及び前記周辺音響の前記近空間統計量に基づいて、前記近傍界音響を検出する工程と
を含む、請求項１に記載の方法。
【請求項１７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項１６に記載の方法。
【請求項１８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記近傍界音響と紐づく干渉−信号比を含む、
請求項１６に記載の方法。
【請求項１９】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項１６に記載の方法。
【請求項２０】
前記周辺音響の方向を検出する工程が、前記周辺音響の方向が近傍界音響の受入角以内であるか否かを決定する工程を含む、請求項１６に記載の方法。
【請求項２１】
前記周辺音響の前記近傍界空間統計量を検出する工程が、
正規化相互相関統計量が第１閾値よりも大きいか否かを検出する工程と、
干渉−近傍界所望信号比が第２閾値よりも小さいか否かを検出する工程と、
マイク間レベル差が、第３閾値よりも大きいか否かを検出する工程と
を含む、請求項１６に記載の方法。
【請求項２２】
前記第２閾値が、前記周辺音響における背景雑音の推定に基づいて調整される、請求項２１に記載の方法。
【請求項２３】
前記第３閾値が、前記周辺音響における背景雑音の推定に基づいて調整される、請求項２１に記載の方法。
【請求項２４】
前記少なくとも１つの入力信号から、前記周辺音響の方向を検出する工程と、
前記少なくとも１つの入力信号から、前記周辺音響における背景雑音の存在を検出する工程と、
前記少なくとも１つの入力信号から、前記周辺音響における近接発話の存在を検出する工程と、
前記少なくとも１つの入力信号から、前記周辺音響の音量を検出する工程と、
前記少なくとも１つの入力信号から、前記周辺音響の近傍界空間統計量を検出する工程と、
前記方向、背景雑音の有無、前記発話の有無、前記音量、及び前記周辺音響の前記近空間統計量に基づいて、近接音響イベントを含む音響イベントの存在を検出する工程と、
前記音響イベントの存在に応じて、前記少なくとも１つの変換器に複製された前記音響情報の特徴を修正する工程と
を更に含む、請求項１に記載の方法。
【請求項２５】
前記周辺音響のスペクトル成分の変化を検出する工程と、
前記方向、背景雑音の有無、前記発話の有無、前記音量、前記周辺音響の前記近空間統計量、及び前記周辺音響の前記スペクトル成分に基づいて、近接音響イベントを含む音響イベントの存在を検出する工程と
を更に含む、請求項２４に記載の方法。
【請求項２６】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項２５に記載の方法。
【請求項２７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記近傍界音響と紐づく干渉−信号比を含む、
請求項２５に記載の方法。
【請求項２８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項２５に記載の方法。
【請求項２９】
前記周辺音響における近接発話の存在を検出する工程が、定常的背景雑音を検出する工程を含む、請求項２５に記載の方法。
【請求項３０】
前記周辺音響における近接発話の存在を検出する工程が、近くで話している近接話者からの発話を検出する工程を含む、請求項２５に記載の方法。
【請求項３１】
前記周辺音響における近接発話の存在を検出する工程が、前記少なくとも１つの入力信号から、前記周辺音響のスペクトル平坦性測定を検出する工程を含み、前記周辺音響の前記スペクトル平坦性測定を検出する工程が、前記周辺音響のスペクトル成分の変化を検出する工程を含む、請求項２５に記載の方法。
【請求項３２】
音響装置の少なくとも一部を実現するための集積回路であって、
通信用音響出力信号を生成することによって、前記音響装置の少なくとも１つの変換器に音響情報を複製するように構成された音響出力と、
前記音響装置外部の周辺音響を示す入力信号を受信するように構成されたマイク入力と、
前記入力信号から、前記周辺音響における近傍界音響を検出し、
前記近傍界音響の検出に応じて、前記音響情報の特徴を修正する
ように構成されたプロセッサと
を含む、集積回路。
【請求項３３】
前記プロセッサが更に、
前記少なくとも１つの入力信号から、前記周辺音響の方向を決定し、
前記周辺音響の方向が、前記周辺音響が前記音響装置のユーザからの音響であることを示すことに応じて、前記少なくとも１つの変換器に複製された前記音響情報の特徴を修正する
ように構成されている、請求項３２に記載の集積回路。
【請求項３４】
前記プロセッサが更に、
前記少なくとも１つの入力信号から、前記周辺音響の方向を決定し、
前記周辺音響の方向が、前記周辺音響が前記音響装置のユーザからの発話であることを示すことに応じて、前記少なくとも１つの変換器に複製された前記音響情報の特徴を修正する
ように構成されている、請求項３２に記載の集積回路。
【請求項３５】
前記音響情報の特徴を修正することが、前記音響情報を減衰させることを含む、請求項３２に記載の集積回路。
【請求項３６】
前記プロセッサが更に、前記近傍界音響の検出が少なくとも所定時間継続することに応じて、前記音響情報の特徴を修正するように構成されている、請求項３２に記載の集積回路。
【請求項３７】
前記プロセッサが更に、前記少なくとも１つの入力信号から、前記周辺音響において前記近傍界音響が存在しないことを検出し、
少なくとも第２の所定時間の間前記近傍界音響が存在しないことに応じて、前記少なくとも１つの変換器に複製された前記音響情報の特徴を修正することを停止する
ように構成されている、請求項３６に記載の集積回路。
【請求項３８】
前記プロセッサが更に、
前記近傍界音響を検出することに加えて、前記少なくとも１つの入力信号から、前記周辺音響における前記近傍界音響以外の周辺音響を検出し、
前記周辺音響の検出に応じて、前記少なくとも１つの変換器に複製された前記音響情報の特徴を修正する
ように構成されている、請求項３６に記載の集積回路。
【請求項３９】
前記プロセッサが更に、
前記少なくとも１つの入力信号から、前記周辺音響の方向を決定し、
前記周辺音響の方向が、前記周辺音響が前記近傍界音響以外の音響であることを示すことに応じて、前記少なくとも１つの変換器に複製された前記音響情報の特徴を修正する
ように構成されている、請求項３８に記載の集積回路。
【請求項４０】
前記プロセッサが更に、
前記少なくとも１つの入力信号から、前記周辺音響が背景雑音を含むか否かを検出し、
前記周辺音響における前記背景雑音の検出に応じて、前記少なくとも１つの変換器に複製された前記音響情報の特徴を修正する
ように構成されている、請求項３８に記載の集積回路。
【請求項４１】
前記プロセッサが更に、
前記少なくとも１つの入力信号から、前記周辺音響が音調警報を含むか否かを検出し、
前記周辺音響における前記音調警報の検出に応じて、前記少なくとも１つの変換器に複製された前記音響情報の特徴を修正する
ように構成されている、請求項３８に記載の集積回路。
【請求項４２】
前記周辺音響における前記音調警報を検出することが、
前記少なくとも１つの入力信号から、前記周辺音響の方向を検出することと、
前記少なくとも１つの入力信号から、前記周辺音響のスペクトル平坦性測定を検出することと、
前記少なくとも１つの入力信号から、前記周辺音響の近傍界空間統計量を検出することと、
前記周辺音響の方向、前記背景雑音の有無、及び前記近傍界空間統計量に基づいて、前記音調警報を検出することと
を含む、請求項４１に記載の集積回路。
【請求項４３】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項４１に記載の集積回路。
【請求項４４】
前記周辺音響の方向を検出することが、前記周辺音響の方向が近傍界音響の受入角以内であるか否かを決定することを含む、請求項４２に記載の集積回路。
【請求項４５】
前記周辺音響の前記近傍界空間統計量を検出することが、正規化相互相関統計量が閾値よりも大きいか否かを検出することを含む、請求項４２に記載の集積回路。
【請求項４６】
前記周辺音響の前記スペクトル平坦性測定を検出することが、前記雑音スペクトルが前記周辺音響の全てのサブバンドではないが、前記周辺音響の殆どのサブバンドにおいて平坦であるか否かを検出することを含む、請求項４２に記載の集積回路。
【請求項４７】
前記周辺音響における前記近傍界音響を検出することが、
前記少なくとも１つの入力信号から、前記周辺音響の方向を検出することと、
前記少なくとも１つの入力信号から、前記周辺音響における発話の存在を検出することと、
前記少なくとも１つの入力信号から、前記周辺音響の近傍界空間統計量を検出することと、
前記方向、発話の有無、及び前記周辺音響の前記近空間統計量に基づいて、前記近傍界音響を検出することと
を含む、請求項３２に記載の集積回路。
【請求項４８】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項４７に記載の集積回路。
【請求項４９】
前記少なくとも１つの入力信号が、第１のマイクでの周辺音響を示す第１のマイク信号と、第２のマイクでの周辺音響を示す第２のマイク信号とを含み、
前記近傍界空間統計量が、近傍界音響と紐づく干渉−信号比を含む、
請求項４７に記載の集積回路。
【請求項５０】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項４７に記載の集積回路。
【請求項５１】
前記周辺音響の方向を検出することが、前記周辺音響の方向が近傍界音響の受入角以内であるか否かを決定することを含む、請求項４７に記載の集積回路。
【請求項５２】
前記周辺音響の前記近傍界空間統計量を検出することが、
正規化相互相関統計量が第１閾値よりも大きいか否かを検出することと、
干渉−近傍界所望信号比が第２閾値よりも小さいか否かを検出することと、
マイク間レベル差が、第３閾値よりも大きいか否かを検出することと
を含む、請求項４７に記載の集積回路。
【請求項５３】
前記第２閾値が、前記周辺音響における背景雑音の推定に基づいて調整される、請求項５２に記載の集積回路。
【請求項５４】
前記第２閾値が、前記周辺音響における背景雑音の推定に基づいて調整される、請求項５２に記載の集積回路。
【請求項５５】
前記プロセッサが更に、
前記少なくとも１つの入力信号から、前記周辺音響の方向を検出する工程と、
前記少なくとも１つの入力信号から、前記周辺音響における背景雑音の存在を検出し、
前記少なくとも１つの入力信号から、前記周辺音響における近接発話の存在を検出し、
前記少なくとも１つの入力信号から、前記周辺音響の音量を検出し、
前記少なくとも１つの入力信号から、前記周辺音響の近傍界空間統計量を検出し、
前記方向、背景雑音の有無、前記発話の有無、前記音量、及び前記周辺音響の前記近空間統計量に基づいて、近接音響イベントを含む音響イベントの存在を検出し、
前記音響イベントの存在に応じて、前記少なくとも１つの変換器に複製された前記音響情報の特徴を修正する
ように構成されている、請求項３２に記載の集積回路。
【請求項５６】
前記プロセッサが更に、
前記周辺音響のスペクトル成分の変化を検出し、
前記方向、背景雑音の有無、前記発話の有無、前記音量、前記周辺音響の前記近空間統計量、及び前記周辺音響の前記スペクトル成分に基づいて、近接音響イベントを含む音響イベントの存在を検出する
ように構成されている、請求項３２に記載の集積回路。
【請求項５７】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間の相関を含む、
請求項５６に記載の集積回路。
【請求項５８】
前記少なくとも１つの入力信号が、第１のマイクでの周辺音響を示す第１のマイク信号と、第２のマイクでの周辺音響を示す第２のマイク信号とを含み、
前記近傍界空間統計量が、近傍界音響と紐づく干渉−信号比を含む、
請求項５６に記載の集積回路。
【請求項５９】
前記少なくとも１つの入力信号が、第１のマイクでの周辺音響を示す第１のマイク信号と、第２のマイクでの周辺音響を示す第２のマイク信号とを含み、
前記近傍界空間統計量が、前記第１のマイク信号と前記第２のマイク信号との間のマイク間レベル差を含む、
請求項５６に記載の集積回路。
【請求項６０】
前記周辺音響における近接発話の存在を検出することが、定常的背景雑音を検出することを含む、請求項５６に記載の集積回路。
【請求項６１】
前記周辺音響における近接発話の存在を検出することが、近くで話している近接話者からの発話を検出することを含む、請求項５６に記載の集積回路。
【請求項６２】
前記周辺音響における近接発話の存在を検出することが、前記少なくとも１つの入力信号から、前記周辺音響のスペクトル平坦性測定を検出することを含み、前記周辺音響の前記スペクトル平坦性測定を検出することが、前記周辺音響のスペクトル成分の変化を検出することを含む、請求項５６に記載の集積回路。
【請求項６３】
音響装置における音響情報を処理するための方法であって、
通信用音響出力信号を生成することによって、前記音響装置の少なくとも１つの変換器に音響情報を複製する工程と、
前記音響装置外部の周辺音響を示す少なくとも１つの入力信号を受信する工程と、
前記少なくとも１つの入力信号から、音響イベントを検出する工程と、
前記音響イベントの検出が少なくとも所定時間継続することに応じて、前記少なくとも１つの変換器に複製された前記音響情報の特徴を修正する工程と
を含む方法。
【請求項６４】
少なくとも第２の所定時間の間前記音響イベントが存在しないことに応じて、前記少なくとも１つの変換器に複製された前記音響情報の特徴を修正することを停止する工程を更に含む、請求項６３に記載の方法。
【請求項６５】
前記音響イベントが、近傍界イベント、近接イベント、及び警報イベントのうちの少なくとも１つを含む、請求項６３に記載の方法。
【請求項６６】
音響装置の少なくとも一部を実現するための集積回路であって、
通信用音響出力信号を生成することによって、前記音響装置の少なくとも１つの変換器に音響情報を複製するように構成された音響出力と、
前記音響装置外部の周辺音響を示す入力信号を受信するように構成されたマイク入力と、
前記入力信号から、音響イベントを検出し、
前記音響イベントの検出が少なくとも所定時間継続することに応じて、前記少なくとも１つの変換器に複製された前記音響情報の特徴を修正する
ように構成されたプロセッサと
を含む、集積回路。
【請求項６７】
前記プロセッサが更に、少なくとも第２の所定時間の間前記音響イベントが存在しないことに応じて、前記少なくとも１つの変換器に複製された前記音響情報の特徴を修正することを停止するように構成されている、請求項６６に記載の集積回路。
【請求項６８】
前記音響イベントが、近傍界イベント、近接イベント、及び警報イベントのうちの少なくとも１つを含む、請求項６６に記載の集積回路。
【発明の詳細な説明】
【関連出願】
【０００１】
本開示は、２０１５年８月７日出願の米国仮特許出願第６２／２０２，３０３号と、２０１５年１０月６日出願の米国仮特許出願第６２／２３７，８６８号と、２０１６年６月１７日出願の米国仮特許出願第６２／３５１，４９９号とに基づく優先権を主張する、２０１６年８月５日出願の米国非仮特許出願第１５／２２９，４２９号に基づく優先権を主張し、これらの各々は、参照によりその全体が本明細書中に組み込まれる。
【技術分野】
【０００２】
本開示の代表的な実施形態の分野は、音響装置における再生管理に関連又は関係する方法、機器又は実装に関する。用途としては、所定の周辺イベントの検出が挙げられるが、近傍界音響及び近接音響の検出並びに複数のマイクから受信した信号に基づく空間処理を用いた音調警報検出に関連する用途に限定されない。
【背景技術】
【０００３】
個人用音響装置が普及してきており、それらは多様な周辺環境で用いられている。これらの音響装置に用いられるヘッドホンは、能動的又は受動的方法によって引き起こされる閉塞により、ユーザが音響装置外部の周辺音場を抑制するほどに進化してきている。殆どの場合において、高められた隔離性と中断されない聴き取りが好ましいものの、安全性又はユーザ体験向上のために、ユーザが特定の周辺イベントを聞き取り、そのイベントに対して適切な行動を取ることが必須となる場合もある。例えば、ユーザが自身のヘッドセットで音楽を聴いており、そのユーザと会話を始めようとする誰かによって遮られた場合、ユーザが再生信号を一時停止するか再生信号の音量を減らさない限りは、会話を維持することが難しいかも知れない。例えば特許文献１には、再生信号が周辺音響場に応じて修正される音響装置が提案されている。別の例として、特許文献２には、イベントに基づいた再生内容の修正を行うのに用いることのできる、個人用音響装置における周辺イベント検出が教示されている。上述の文献にはまた、マイクを用いて種々の音響イベントを検出することも教示されている。更なる例として、２０１４年７月７日出願の特許文献３には、発話検出器をイベント検出器として用いて、再生信号を会話の際に調整することが教示されている。追加の例として、特許文献４には、到来方向（ＤＯＡ）推定及び複数のマイクの組からの干渉−所望（近傍界）発話信号比推定を用いて、非定常的な背景雑音が存在する中で所望の発話を検出し、ノイズリダクションエコー除去（ＮＲＥＣ）システムにおいて発話向上アルゴリズムを制御することが教示されている。同様に、特許文献５には、複数のマイクの相互相関解析を通じて導出した、正規化相互相関統計量の最大値が、近傍界発話を検出する有効な識別因子となりうることが教示されている。背景雑音の存在を背景音楽と識別するための、スペクトル平坦性測定に基づくＮＲＥＣシステム用音楽検出器が特許文献６に提案されている。特許文献１及び２、特許文献３、特許文献４、特許文献５、特許文献６は、参照によりその全体が本明細書中に組み込まれる。
【先行技術文献】
【特許文献】
【０００４】
【特許文献１】米国特許第７，９０３，８２５号明細書
【特許文献２】米国特許第８，８０４，９７４号明細書
【特許文献３】米国特許出願第１４／３２４，２８６号
【特許文献４】米国特許第８，５６５，４４６号明細書
【特許文献５】米国特許出願第１３／１９９，５９３号
【特許文献６】米国特許第８，１２６，７０６号明細書
【特許文献７】米国特許第７，４９２，８８９号明細書
【発明の概要】
【発明が解決しようとする課題】
【０００５】
本開示の教えによれば、個人用音響装置における再生管理のためのイベント検出に対する既存の手法に伴う１つ又は複数の不利な点及び問題が、抑制又は解消され得る。
【課題を解決するための手段】
【０００６】
本開示の実施形態によれば、音響装置における音響情報を処理するための方法は、通信用音響出力信号を生成することによって、前記音響装置の少なくとも１つの変換器に音響情報を複製する（ｒｅｐｒｏｄｕｃｉｎｇ）工程と、前記音響装置外部の周辺音響を示す少なくとも１つの入力信号を受信する工程と、前記少なくとも１つの入力信号から、前記周辺音響における近傍界音響を検出する工程と、前記近傍界音響の検出に応じて、前記少なくとも１つの変換器に複製された前記音響情報の特徴を修正する工程とを含んでもよい。
【０００７】
本開示のこれらの及び他の実施形態によれば、音響装置の少なくとも一部を実現するための集積回路は、通信用音響出力信号を生成することによって、前記音響装置の少なくとも１つの変換器に音響情報を複製するように構成された音響出力と、前記音響装置外部の周辺音響を示す入力信号を受信するように構成されたマイク入力と、前記入力信号から、前記周辺音響における近傍界音響を検出し、前記近傍界音響の検出に応じて、前記音響情報の特徴を修正するように構成されたプロセッサとを含んでもよい。
【０００８】
本開示のこれらの及び他の実施形態によれば、音響装置における音響情報を処理するための方法は、通信用音響出力信号を生成することによって、前記音響装置の少なくとも１つの変換器に音響情報を複製する工程と、前記音響装置外部の周辺音響を示す少なくとも１つの入力信号を受信する工程と、前記少なくとも１つの入力信号から、音響イベントを検出する工程と、前記音響イベントの検出が少なくとも所定時間継続することに応じて、前記少なくとも１つの変換器に複製された前記音響情報の特徴を修正する工程とを含んでもよい。
【０００９】
本開示のこれらの及び他の実施形態によれば、音響装置の少なくとも一部を実現するための集積回路は、通信用音響出力信号を、前記音響装置の少なくとも１つの変換器に生成することによって音響情報を複製するように構成された音響出力と、前記音響装置外部の周辺音響を示す入力信号を受信するように構成されたマイク入力と、前記入力信号から、音響イベントを検出し、少なくとも所定時間継続する前記音響イベントの検出に応じて、前記少なくとも１つの変換器に複製された前記音響情報の特徴を修正するように構成されたプロセッサとを含んでもよい。
【００１０】
本開示の技術的利点は、本明細書に含まれる図、説明、及び請求項から、当該技術分野における通常の技術を有する者によって容易に理解されるであろう。本実施形態の目的及び利点は、少なくとも特に請求項において指摘されている要素、特徴、及び組み合わせによって達成及び実現されるであろう。
【００１１】
前述の概要及び以下の詳細な説明の両方は例示的かつ説明的であり、本開示にて明らかにされる請求項を制限するものではないと理解すべきである。
【００１２】
実施例、本実施形態及びそれらの特定の利点に対するより完全な理解は、附属の図面に伴う以下の説明を参照することによって得られ、参照符号等は特徴等を示す。
【図面の簡単な説明】
【００１３】
【図１】図１は、本開示の実施形態に係る使用ケースのシナリオの例を示し、そのような検出器は、ユーザ体験を向上させるために、再生管理システムと共に用いてもよい。
【図２】図２は、イベント検出器からの判断に基づいて再生信号を修正する、本開示の実施形態に係る再生管理システムの例を示す。
【図３】図３は、本開示の実施形態に係るイベント検出器の例を示す。
【図４】図４は、音響イベントを検出するのに用いられ得る近傍界空間統計量を導出するための、本開示の実施形態に係るシステムの機能ブロックを示す。
【図５】図５は、本開示の実施形態に係る、近傍界音響を検出するための結合ロジックの例を示す。
【図６】図６は、本開示の実施形態に係る、近接音響を検出するための結合ロジックの例を示す。
【図７】図７は、本開示の実施形態に係る、近接発話検出器の実施形態を示す。
【図８】図８は、本開示の実施形態に係る、音調警報イベントを検出するための結合ロジックの例を示す。
【図９】図９は、検証済音響イベント信号を生成するために瞬間音響イベント検出信号に適用し得る、本開示の実施形態に係るホールドオフ及びハングオーバーロジックを示すタイミング図の例を示す。
【図１０】図１０は、ホールドオフ及びハングオーバーロジックを有する、本開示の実施形態に係る別の音響イベント検出器を示す。
【発明を実施するための形態】
【００１４】
本開示の実施形態によれば、システム及び方法は、自動再生管理フレームワークにおいて用いられ得る少なくとも３つの異なる音響イベント検出器を使用してもよい。そのような音響装置用音響イベント検出器は、音響装置の近傍界で音響が検出されたとき、例えば音響装置のユーザ（例えば音響装置を身につけているか使用しているユーザ）が発話したときに検出を行う近傍界検出器や、音響装置のそばの音響が検出されたとき、例えば音響装置のユーザのそばの別の人が発話したときに検出を行う近接検出器及び音響装置近くに源を発する音響警報が生じたことを検出する音調警報検出器を含んでもよい。図１は、本開示の実施形態に係る使用ケースのシナリオの例を示し、そのような検出器は、ユーザ体験を向上させるために、再生管理システムと共に用いてもよい。
【００１５】
図２は、イベント検出器２からの判断に基づいて再生信号を修正する、本開示の実施形態に係る再生管理システムの例を示す。プロセッサ５０における信号処理機能は、出力音響変換器５１（例えば拡声器）とマイク５２との間のエコーカップリングにより、マイク５２で受信される音響エコーを除去し得る音響エコー除去装置１を含んでもよい。エコー抑制信号は、１つ又は複数の種々の周辺イベントを検出しうるイベント検出器２に伝達してもよく、周辺イベントは、近傍界検出器３によって検出される近傍界イベント（例えば音響装置のユーザからの発話が挙げられるが、これに限定されない）や、近接検出器４によって検出される近接イベント（例えば発話や、近傍界音響以外の他の周辺音響が挙げられるが、これらには限定されない）及び／又は警報検出器５によって検出される音調警報イベントが挙げられるが、これらには限定されない。音響イベントが検出されると、イベントに基づく再生制御６は、出力音響変換器５１に複製した音響情報の特徴（図２の「再生内容」として示される）を修正してもよい。音響情報は、出力音響変換器５１で複製され得るどのような情報を含んでもよく、通信ネットワーク（例えばセルラーネットワーク）を介して受信される、電話を通じての会話に関するダウンリンクスピーチ及び／又は内部オーディオソース（例えば楽曲ファイル、動画ファイル等）からの内部オーディオが挙げられるが、これらには限定されない。
【００１６】
図３は、本開示の実施形態に係るイベント検出器の例を示す。図３に示されるように、イベント検出器の例は、音声活動検出器１０と、音楽検出器９と、到来方向推定装置７と、近傍界空間情報抽出装置８と、背景雑音レベル推定装置１１と、決定結合ロジック１２であって、音声活動検出器１０、音楽検出器９、到来方向推定装置７、近傍界空間情報抽出装置８及び背景雑音レベル推定装置１１からの情報を用いて音響イベントを検出する決定結合ロジック１２とを含んでもよく、音響イベントとしては、近傍界音響、近傍界音響以外の近接音響及び音調警報が挙げられるが、これらには限定されない。
【００１７】
近傍界検出器３は、発話を含む近傍界音響を検出してもよい。そのような近傍界音響が検出された場合、近傍界音響の検出はユーザが会話に参加していることを示す可能性があるため、出力音響変換器５１に複製された音響情報を修正することが望ましい。そのような近傍界検出は、音響的に騒音のある条件において近傍界音響を検出可能である必要があり、非常に多様な背景雑音条件（例えばレストランにおける背景雑音や、車を運転している際の音響雑音等）において近傍界音響の誤検出に耐性を有している必要がある。以下により詳細に説明するように、近傍界検出は、複数のマイク５１を用いた空間音響処理を必要とし得る。幾つかの実施形態では、そのような近傍界音響検出は、特許文献４及び特許文献５に記載のものと同一又は類似の方式で行ってもよい。
【００１８】
近接検出器４は、近傍界音響以外の周辺音響（例えばユーザのそばの人からの発話や背景音楽等）を検出してもよい。以下により詳細に説明するように、近接音響を非定常的な背景雑音及び背景音楽から識別することは難しいため、近接検出器は、近接音響の誤検出に起因するプアーなユーザ体験を避けるために、音楽検出器及び雑音レベル推定を利用して近接検出器４の近接検出を無効化してもよい。幾つかの実施形態では、そのような近接音響検出は、特許文献６、特許文献４及び／又は特許文献５に記載のものと同一又は類似の方式で行ってもよい。
【００１９】
音調警報検出器５は、音響装置に近接した音調警報（例えばサイレン）を検出してもよい。最大限のユーザ体験を提供するために、音調警報検出器５は、特定の警報（例えば微弱な又は低音量の警報）を無視することが望ましい。以下により詳細に説明するように、音調警報検出は、複数のマイク５１を用いた空間音響処理を必要とし得る。幾つかの実施形態では、そのような近接音響検出は、特許文献６及び特許文献５に記載のものと同一又は類似の方式で行ってもよい。
【００２０】
図４は、音響イベントを検出するのに用いられ得る近傍界空間統計量を導出するための、本開示の実施形態に係るシステムの機能ブロックを示す。近傍及び遠方マイク間のマイク間レベル差（ｉｍｄ）を推定することにより、マイク５２に対してレベル分析４１を行ってもよい（例えば特許文献５に記載）。マイク５２に衝突する周辺音響の到来方向情報ＤＯＡを得るために、マイク５２が受信した信号に対して相互相関解析１３を行ってもよい（例えば特許文献４に記載）。相互相関解析１３において、最大正規化相関値ｎｏｒｍＭａｘＣｏｒｒを得てもよい（例えば特許文献５に記載）。音声活動検出器１０は、発話の存在を検出し、周辺音響における発話の有無を示す信号ｓｐｅｅｃｈＤｅｔを生成してもよい（例えば、特許文献７の、確率に基づく発話の有無に基づく手法に記載）。ビームフォーマー１５は、マイク５２からの信号に基づき、周辺音響における雑音のレベルｎｏｉｓｅＬｅｖｅｌと、干渉−近傍界信号比ｉｄｒとを決定するために雑音分析１４によって利用され得る、近傍界信号推定及び干渉信号推定を生成する。特許文献４には、ビームフォーマー１５の組を利用して干渉−近傍界信号比ｉｄｒを推定するための手法の例が記載されている。音声活動検出器３６は、干渉推定を利用して、所望の信号方向に源を発しない発話信号を検出（ｐｒｏｘＳｐｅｅｃｈＤｅｔ）してもよい。雑音分析１４は、周辺音響の到来方向推定ＤＯＡが近傍界音響の受入角の外にある場合には必ず干渉信号エネルギーを更新することにより、到来方向推定ＤＯＡに基づいて行ってもよい。近傍界音響の到来方向は、個人用音響装置の工業設計における所与のマイク列配置に対して予め既知であってもよい。
【００２１】
図４のシステムによって生成された種々の統計量は、その後近傍界音響の存在を検出するのに使用してもよい。図５は、本開示の実施形態に係る、近傍界音響を検出するための結合ロジックの例を示す。図５に示されるように、近傍界発話は、以下の全ての基準を満たしたときに検出してもよい：
・周辺音響の到来方向推定ＤＯＡが、近傍界音響の受入角以内である（ブロック１６）
・最大正規化相互相関統計量ｎｏｒｍＭａｘＣｏｒｒが、閾値ｎｏｒｍＭａｘＣｏｒｒＴｈｒｅｓ１よりも大きい（ブロック１７）
・干渉−近傍界所望信号比ｉｄｒが、閾値ｉｄｒＴｈｒｅｓ１よりも小さい（ブロック１８）
・信号ｓｐｅｅｃｈＤｅｔに示されるように音声活動が検出される（ブロック１９）
・マイク間レベル差統計量ｉｍｄが、閾値ｉｍｄＴｈよりも大きい（ブロック４２）
【００２２】
幾つかの実施形態では、閾値ｉｄｒＴｈｒｅｓ及びｉｍｄＴｈは背景雑音レベル推定に基づき、動的に調整してもよい。
【００２３】
近接発話の信号特性は、音楽や雑音といった周辺信号と酷似していることがあるため、近接検出器４の近接検出は、近傍界検出器３の近傍界音響検出と異なっていてもよい。従って、近接検出器４は、満足のいくユーザ体験を実現するために、近接発話の誤検出を回避しなければならない。従って、音楽検出器９は、背景に音楽が存在する場合は必ず近接検出を無効化するのに使用してもよい。同様に、近接検出器４は、背景雑音レベルが所定の閾値を超えている場合には必ず無効化してもよい。背景雑音の閾値は、閾値レベル未満における誤検出の可能性が非常に低くなるように、予め決定してもよい。図６は、本開示の実施形態に係る、近接音響（例えば発話）を検出するための結合ロジックの例を示す。更に、本質的に一時的な音響刺激を生成する多くの環境雑音源が存在する可能性がある。これらの雑音種は、音声検出器によって音声信号として誤検出され得る。誤検出の可能性を低減するために、音楽検出器９からのスペクトル平坦性測定（ＳＦＭ）統計量を使用し、発話を一時的な雑音と区別してもよい。例えば、ＳＦＭを所定時間追跡し、ｓｆｍＳｗｉｎｇとして定義される、同じ時間に渡る最大及び最小ＳＦＭ値の差を計算してもよい。ｓｆｍＳｗｉｎｇの値は一般に、一時的な雑音信号に対して小さい。これら信号のスペクトル成分が本質的に広帯域であり、それらは短い時間間隔（３００〜５００ｍｓ）において定常的な傾向があるためである。音声信号のスペクトル成分が一時的な信号よりも速く変化するため、ｓｆｍＳｗｉｎｇの値は音声信号に対して高い。図６に示されるように、近接音響（例えば発話）は、以下の全ての基準を満たしたときに検出してもよい：
・音楽が背景において検出されない（ブロック２０）
・到来方向推定ＤＯＡが、近接音響の受入角以内である（ブロック２１）
・最大正規化相互相関統計量ｎｏｒｍＭａｘＣｏｒｒが、閾値ｎｏｒｍＭａｘＣｏｒｒＴｈｒｅｓ２よりも大きい（ブロック２２）
・背景雑音レベルｎｏｉｓｅＬｅｖｅｌが、閾値ｎｏｉｓｅＬｅｖｅｌＴｈ未満である（ブロック２３）
・信号ｐｒｏｘＳｐｅｅｃｈＤｅｔに示されるように近接音声活動が検出される（ブロック１９）
・ＳＦＭ変化統計量ｓｆｍＳｗｉｎｇが、閾値ｓｆｍＳｗｉｎｇＴｈよりも大きい（ブロック３７）
・干渉−近傍界所望信号比ｉｄｒが、閾値ｉｄｒＴｈｒｅｓ２よりも大きい（ブロック４０）
・マイク間レベル差統計量ｉｍｄが、０ｄＢに近い（ブロック４３）
【００２４】
幾つかの実施形態では、特許文献６に教示されている音楽検出器を用いて音楽検出器９を実現し、背景音楽の存在を検出してもよい。本開示の実施形態に係る、近接発話検出器の別の実施形態が図７に示されている。この実施形態によれば、以下の条件を満たした場合に近接発話を検出してもよい：
・干渉−近傍界所望信号比ｉｄｒが、閾値ｉｄｒＴｈｒｅｓ２よりも大きい（ブロック３９）
・近接音声活動が検出される（ブロック２７）
・最大正規化相互相関統計量ｎｏｒｍＭａｘＣｏｒｒが、閾値ｎｏｒｍＭａｘＣｏｒｒＴｈｒｅｓ３よりも大きい（ブロック２８）
・到来方向推定ＤＯＡが近接音響の受入角以内である（ブロック２９）
・音楽が背景において検出されない（ブロック３０）
・低若しくは中間レベルの背景雑音が存在する、又は一切の背景雑音が存在しない（ブロック３１）。この条件は、推定背景雑音レベルを閾値ｎｏｉｓｅＬｅｖｅｌＴｈＬｏと比較することによって検証される。低雑音レベルが検出された場合、近接発話の存在を確認するために、以下の２つの条件が試験される。
・ＳＦＭ変化統計量ｓｆｍＳｗｉｎｇが閾値ｓｆｍＳｗｉｎｇＴｈよりも大きい（ブロック３８）
・マイク間レベル差統計量ｉｍｄが、０ｄＢに近い（ブロック４４）
【００２５】
上述の背景雑音レベル条件がブロック３１で満たされなかった場合、（例えば背景雑音条件に起因する）誤警報の発生を増加させることなく近接発話の検出率を改善するために、以下の条件が近接発話を示してもよい：
・定常的背景雑音が存在する（ブロック３２）。定常的背景雑音は、所定時間に渡り音楽検出器（ブロック９）によって生成されるＳＦＭの、ピーク−二乗平均平方根値の比を計算することによって検出してもよい。具体的には、上述の比が高い場合、非定常的な雑音が存在する可能性がある。非定常的な雑音のスペクトル平坦性測定は、定常的な雑音よりも早く変化する傾向にあるからである。
・高い雑音レベルが存在する（ブロック３２）。推定背景雑音が閾値ｎｏｉｓｅＬｅｖｅｌＬｏよりも大きく且つ閾値ｎｏｉｓｅＬｅｖｅｌＨｉよりも小さい場合に、高い雑音条件を検出してもよい。
【００２６】
上記の定常的雑音及び到来方向条件がブロック３２で満たされない場合、以下の両方の組の条件の存在が、近接発話の存在を示してもよい：
・近くで話している近接話者が存在する（ブロック３３）。最大正規化相互相関統計量ｎｏｒｍＭａｘＣｏｒｒが閾値ｎｏｒｍＭａｘＣｏｒｒＴｈｒｅｓ４よりも大きい場合（閾値ｎｏｒｍＭａｘＣｏｒｒＴｈｒｅｓ４は、近くの話者の存在を示すために、ｎｏｒｍＭａｘＣｏｒｒＴｈｒｅｓ３よりも大きくてよい）、近くで話している近接話者が検出されてもよい。
・低、中間若しくは高レベルの背景雑音が存在する、又は一切の背景雑音が存在しない（ブロック３４）。この条件は、推定背景雑音レベルが閾値ｎｏｉｓｅＬｅｖｅｌＴｈＨｉ未満の場合に検出されてもよい。
【００２７】
上述の到来方向条件がブロック２９で満たされない場合、以下の条件の存在が近接発話を示してもよい：
・音楽が存在しない（ブロック３５）。
・近くで話している近接話者が存在する（ブロック３３）。最大正規化相互相関統計量ｎｏｒｍＭａｘＣｏｒｒが閾値ｎｏｒｍＭａｘＣｏｒｒＴｈｒｅｓ４よりも大きい場合（閾値ｎｏｒｍＭａｘＣｏｒｒＴｈｒｅｓ４は、近くの話者の存在を示すために、ｎｏｒｍＭａｘＣｏｒｒＴｈｒｅｓ３よりも大きくてよい）、近くで話している近接話者が検出されてもよい。
・低、中間若しくは高レベルの背景雑音が存在する、又は一切の背景雑音が存在しない（ブロック３４）。この条件は、推定背景雑音レベルが閾値ｎｏｉｓｅＬｅｖｅｌＴｈＨｉ未満の場合に検出されてもよい。
【００２８】
音調警報検出器５は、本質的に調性を有する警報信号を検出するように構成されており、そのような警報信号の音波帯域幅もまた狭い（例えばサイレンやブザー）。幾つかの実施形態では、周辺音響の調性は、時間−周波数領域変換を介して、時間領域信号を複数のサブバンドに分割することによって測定してもよく、音楽検出器９によって生成される信号ｓｆｍ［］として図６に示されるスペクトル平坦性測定を、各サブバンドにおいて計算してもよい。全てのサブバンドからのスペクトル平坦性測定ｓｆｍ［］を評価してもよく、音調警報イベントを、全てのサブバンドではないが、殆どのサブバンドにおいてスペクトルが平坦である場合に検出してもよい。更に、再生管理システムにおいて、遠方界警報信号の検出が必要無い場合がある。従って、図３の近傍界空間統計量８を、遠方界警報信号を近傍界信号と識別するために使用してもよい。図８は、本開示の実施形態に係る、音調警報イベント（例えばサイレンやブザー）を検出するための結合ロジックの例を示す。図８に示されるように、音調警報イベントは、以下の全ての基準を満たしたときに検出してもよい：
・到来方向推定ＤＯＡが、警報信号の受入角以内である（ブロック２４）
・最大正規化相互相関統計量ｎｏｒｍＭａｘＣｏｒｒが、閾値ｎｏｒｍＭａｘＣｏｒｒＴｈｒｅｓ５よりも大きい（ブロック２５）
・スペクトル平坦性測定ｓｆｍ［］が、全てのサブバンドではないが、殆どのサブバンドにおいて雑音スペクトルが平坦であることを示す（ブロック２６）
【００２９】
実際、図５、６、７及び８に示されるような、近傍界検出器３、近接検出器４及び音調警報検出器５の瞬間音響イベント検出は、誤った音響イベントを検出してもよい。従って、イベント検出信号を再生制御ブロック６に伝達する前に、瞬間音響イベント検出信号を検証することが望ましい。図９は、検証済音響イベント信号を生成するために瞬間音響イベント検出信号に適用し得る、本開示の実施形態に係るホールドオフ及びハングオーバーロジックを示すタイミング図の例を示す。図９に示されるように、ホールドオフロジックは、少なくとも所定時間継続する音響イベント（例えば近傍界音響、近接音響、音調警報イベント）の瞬間検出に応じて検証済音響イベント信号を生成してもよく、一方ハングオーバーロジックは、第２の所定時間の間音響イベントの瞬間検出が停止するまで、検証済音響イベント信号をアサートし続けてもよい。
【００３０】
以下の擬似コードにより、本開示の実施形態に係るホールドオフ及びハングオーバーロジックを適用して音響イベントの誤検出を抑制することが示される。
／＊瞬間検出が真(true)の場合、ホールドオフカウンタをインクリメントし、ハングオーバー＊カウンタをリセットする＊／
ｉｆ（ｉｎｓｔＤｅｔ  ＝＝  ＴＲＵＥ）
｛
ｈｏｌｄＯｆｆＣｎｔｒ  ＝  ｈｏｌｄＯｆｆＣｎｔｒ  ＋  １；
ｈａｎｇＯｖｅｒＣｎｔｒ  ＝  ０；
｝
／＊瞬間検出が偽の場合、ハングオーバーカウンタをインクリメントし、ホールドオフ＊カウンタをリセットする＊／
ｅｌｓｅ
｛
ｈａｎｇＯｖｅｒＣｎｔｒ  ＝  ｈａｎｇＯｖｅｒＣｎｔｒ  ＋  １；
ｈｏｌｄＯｆｆＣｎｔｒ  ＝  ０；
｝
／＊＊＊＊＊＊＊＊＊＊＊＊＊＊＊＊＊＊
＊ホールドオフロジック＊
＊＊＊＊＊＊＊＊＊＊＊＊＊＊＊＊＊＊／  
／＊瞬間検出が一定時間真であり続け、且つ前回の有効な検出が偽(false)であった場合、＊有効な検出は真状態に遷移する＊／
ｉｆ（ｈｏｌｄＯｆｆＣｎｔｒ  ＞  ｈｏｌｄＯｆｆＴｈｒｅｓ  ＆＆  ｖａｌｉｄＤｅｔ  ＝＝  ＦＡＬＳＥ）
｛
ｖａｌｉｄＤｅｔ  ＝  ＴＲＵＥ；
ｈｏｌｄＯｆｆＣｎｔｒ  ＝  ０；
ｈａｎｇＯｖｅｒＣｎｔｒ  ＝  ０；
｝
／＊＊＊＊＊＊＊＊＊＊＊＊＊＊＊＊＊＊＊
＊ハングオーバーロジック＊
＊＊＊＊＊＊＊＊＊＊＊＊＊＊＊＊＊＊＊／  
／＊瞬間ＮＦ検出が一定時間偽であり続け、且つ前回の有効なＮＦ検出が真であった場合、＊有効なＮＦ検出は偽状態に遷移する＊／
ｉｆ（ｈａｎｇＯｖｅｒＣｎｔｒ  ＞  ｈａｎｇＯｖｅｒＴｈｒｅｓ  ＆＆  ｖａｌｉｄＤｅｔ  ＝＝  ＴＲＵＥ）
｛
ｖａｌｉｄＤｅｔ          ＝  ＦＡＬＳＥ；
ｈｏｌｄＯｆｆＣｎｔｒ    ＝  ０；
ｈａｎｇＯｖｅｒＣｎｔｒ  ＝  ０；
｝
【００３１】
検証済イベントは、再生モード切替制御を生成する前に、更に検証してもよい。例えば、以下の擬似コードにより、会話モード（例えば、出力音響変換器５１に複製された音響情報が、音響イベントに応じて修正され得る）と通常再生モード（例えば、出力音響変換器５１に複製された音響情報が、修正されない）との間の切り替えを優雅に行うためのホールドオフ及びハングオーバーロジックを適用することが示される。
／＊＊＊＊＊＊＊＊＊＊＊＊＊＊＊＊＊＊＊＊＊＊＊＊＊＊＊＊＊＊＊＊＊＊＊
＊会話モード移行ロジック＊
＊＊＊＊＊＊＊＊＊＊＊＊＊＊＊＊＊＊＊＊＊＊＊＊＊＊＊＊＊＊＊＊＊＊＊／
／＊イベント検出が真であり、且つモードが会話モードでない場合、
＊時間をインクリメントして会話モードカウンタに移行する。カウンタが閾値を超えた場合、
＊会話モードに切り替えてカウンタをリセットする。
＊イベント検出は、連続的に真である必要は無いことに注意。＊／
ｉｆ（ｃｏｎｖＭｏｄｅＥｎ  ＝＝  ＦＡＬＳＥ  ＆＆  ｖａｌｉｄＤｅｔ  ＝＝  ＴＲＵＥ）
｛
ｔｉｍｅＴｏＥｎｔｅｒＣｏｎｖＭｏｄｅＣｎｔｒ  ＝  ｔｉｍｅＴｏＥｎｔｅｒＣｏｎｖＭｏｄｅＣｎｔｒ  ＋  １；
ｉｆ（ｔｉｍｅＴｏＥｎｔｅｒＣｏｎｖＭｏｄｅＣｎｔｒ  ＞  ｔｉｍｅＴｏＥｎｔｅｒＣｏｎｖＭｏｄｅＴｈｒｅｓ）
｛
ｃｏｎｖＭｏｄｅＥｎ  ＝  ＴＲＵＥ；
ｔｉｍｅＴｏＥｎｔｅｒＣｏｎｖＭｏｄｅＣｎｔｒ  ＝  ０；
ｔｉｍｅＴｏＥｘｉｔＣｏｎｖＭｏｄｅＣｎｔｒ  ＝  ０；
｝
｝
／＊＊＊＊＊＊＊＊＊＊＊＊＊＊＊＊＊＊＊＊＊＊＊＊＊＊＊＊＊＊＊＊＊
＊会話モード終了ロジック＊
＊＊＊＊＊＊＊＊＊＊＊＊＊＊＊＊＊＊＊＊＊＊＊＊＊＊＊＊＊＊＊＊＊／  
／＊イベント検出が偽であり、且つモードが会話モードである場合、
＊時間をインクリメントして会話モードカウンタを終了する。カウンタが閾値を超えた場合、
＊通常モードに切り替えてカウンタをリセットする。
＊イベント検出は、連続的に偽でなければならないことに注意。＊／
ｉｆ（ｃｏｎｖＭｏｄｅＥｎ  ＝＝  ＴＲＵＥ  ＆＆  ｖａｌｉｄＤｅｔ  ＝＝  ＦＡＬＳＥ）
｛
ｔｉｍｅＴｏＥｘｉｔＣｏｎｖＭｏｄｅＣｎｔｒ＋＋；
ｉｆ（ｔｉｍｅＴｏＥｘｉｔＣｏｎｖＭｏｄｅＣｎｔｒ  ＞  ｔｉｍｅＴｏＥｘｉｔＣｏｎｖＭｏｄｅＴｈｒｅｓ）
｛
ｃｏｎｖＭｏｄｅＥｎ  ＝  ＦＡＬＳＥ；
ｔｉｍｅＴｏＥｎｔｅｒＣｏｎｖＭｏｄｅＣｎｔｒ  ＝  ０；
ｔｉｍｅＴｏＥｘｉｔＣｏｎｖＭｏｄｅＣｎｔｒ  ＝  ０；
｝
｝
ｅｌｓｅ
｛
ｔｉｍｅＴｏＥｘｉｔＣｏｎｖＭｏｄｅＣｎｔｒ  ＝  ０；
｝
【００３２】
図１０は、ホールドオフ及びハングオーバーロジックを有する、本開示の実施形態に係る異なる音響イベント検出器を示す。各検出器に対するホールドオフ期間及び／又はハングオーバー期間は、異なる設定としてもよい。加えて、幾つかの実施形態では、検出したイベントの種類に基づいて、異なる再生管理を行ってもよい。これらの及び他の実施形態では、図９に示されるように、音響イベントのうちの１つ又は複数が検出された場合は必ず、再生ゲイン（従って出力音響変換器５１で複製される音響情報）を減衰してもよい。これらの及び他の実施形態では、滑らかなゲイン遷移を提供するために、再生ゲインを、以下の擬似コードで表される１次の指数平均フィルタを用いて平滑化してもよい。
ｉｆ（ｃｏｎｖＭｏｄｅＥｎ  ＝＝  ＴＲＵＥ）
｛
ｐｌａｙＢａｃｋＧａｉｎ  ＝  （１−ａｌｐｈａ）＊ｃｏｎｖＭｏｄｅＧａｉｎ  ＋  ａｌｐｈａ＊ｐｌａｙＢａｃｋＧａｉｎ
｝
ｅｌｓｅ
｛
ｐｌａｙＢａｃｋＧａｉｎ  ＝  （１−ｂｅｔａ）＊ｎｏｒｍａｌＭｏｄｅＧａｉｎ  ＋  ｂｅｔａ＊ｐｌａｙＢａｃｋＧａｉｎ
｝
【００３３】
平滑化パラメータアルファ及びベータは、ゲインランプレートを調製するために、異なる値に設定してもよい。
【００３４】
本明細書に記載の、特に図に関連する種々の操作は、他の回路又は他のハードウェアコンポーネントによって実現してもよいと−特に当該技術分野における通常の技術を有し、本開示の利益を持つ者によって−理解すべきである。ある方法の各操作が行われる順序を変更してもよく、本明細書に示されるシステムの種々の要素を加えたり、順序を変えたり、組合せたり、省略したり、修正したり等、してもよい。本開示はそのような修正及び変更を全て包含することを意図しており、従って上記は制限的な意味ではなく、例示的な意味であると見なされなければならない。
【００３５】
同様に、本開示は具体的な実施形態について言及するが、本開示の範囲及びカバレッジから逸脱することなく、それらの実施形態に特定の修正及び変更を加えてもよい。更に、具体的な実施形態に関して本明細書に記載された利益、利点又は問題への解決策はいずれも、重要であったり、必須又は不可欠な特徴或いは要素として解釈されることを意図していない。
【００３６】
更なる実施形態も同様に、本開示の利益と共に、当該技術分野における通常の技術を有する者にとって明らかとなり、そのような実施形態は本明細書に含まれるとみなされるべきである。
【図１】
2018527857.tif 000003
【図２】
2018527857.tif 000004
【図３】
2018527857.tif 000005
【図４】
2018527857.tif 000006
【図５】
2018527857.tif 000007
【図６】
2018527857.tif 000008
【図７】
2018527857.tif 000009
【図８】
2018527857.tif 000010
【図９】
2018527857.tif 000011
【図１０】
2018527857.tif 000012
【国際調査報告】
2018527857.tif 000013
2018527857.tif 000014
2018527857.tif 000015
2018527857.tif 000016
2018527857.tif 000017
2018527857.tif 000018